(57)【要約】【課題】  コーティングの精度にバラツキが生じない種子コーティング装置を提供する。【解決手段】  底壁１１の周端部から周壁１２を立設したドラム容器１０と、ドラム容器１０の底壁１１に固定される回転軸２１を介してドラム容器１０を回転させる駆動部２０と、駆動部２０を支持する脚体部３０と、駆動部２０に取付けられたアーム４０と、駆動部２０と脚体部３０との間に取付部５１によって取付けられ、ドラム容器１０の傾斜角度αを調節するガイド片５０と、駆動部２０に接続されたコントローラー６０と、アーム４０に取付けた噴射筒７１によってドラム容器１０に水Ｗを供給する水供給部７０と、を設けて構成する。【選択図】    図１
2012217409.tif 000002
【特許請求の範囲】
【請求項１】
種子（Ｓ）にコーティングを施す装置であって、底壁（１１）の周端部から周壁（１２）を立設して形成したドラム容器（１０）と、前記ドラム容器の底壁の中心部に固定される回転軸（２１）を備え，該回転軸を介して前記ドラム容器を回転させる駆動部（２０）と、地面に載置され，前記駆動部を支持する脚体部（３０）と、前記駆動部に取付けられたアーム（４０）と、前記駆動部と脚体部との間に取付けられ，少なくとも前記駆動部または脚体部に取付けられる部分に複数または長穴状の取付部（５１）を有し，前記ドラム容器の傾斜角度（α）を調節するガイド片（５０）と、前記駆動部に接続され，前記ドラム容器の回転をオン・オフするメインスイッチ（６１）および前記ドラム容器の回転速度を調整する速度スイッチ（６２）を備えたコントローラー（６０）と、噴射筒（７１）が前記アームに取付けられ，前記ドラム容器に水（Ｗ）を供給する水供給部（７０）と、を備えることを特徴とする種子コーティング装置。
【請求項２】
種子（Ｓ）にコーティングを施す装置であって、底壁（１１）の周端部から周壁（１２）を立設して形成したドラム容器（１０）と、前記ドラム容器の底壁の中心部に固定される回転軸（２１）を備え，該回転軸を介して前記ドラム容器を回転させる駆動部（２０）と、地面に載置され，前記駆動部を支持する脚体部（３０）と、前記駆動部に取付けられたアーム（４０）と、前記駆動部と脚体部との間に取付けられ，少なくとも前記駆動部または脚体部に取付けられる部分に複数または長穴状の取付部（５１）を有し，前記ドラム容器の傾斜角度（α）を調節するガイド片（５０）と、前記駆動部に接続され，前記ドラム容器の回転をオン・オフするメインスイッチ（６１）および前記ドラム容器の回転速度を調整する速度スイッチ（６２）を備えたコントローラー（６０）と、噴射筒（７１）が前記アームに取付けられ，前記ドラム容器に水（Ｗ）を供給する水供給部（７０）と、前記アームに，先端部がドラム容器の底面角部に達するように取付けられたクレーパ（８０）と、を備えることを特徴とする種子コーティング装置。
【発明の詳細な説明】
【技術分野】
【０００１】
本発明は、植物の種子（主として、水稲用の種籾）の表面をコーティングする装置に関するものである。
【背景技術】
【０００２】
従来から、植物の種子にコーティングを施す装置が提案されている（例えば、特許文献１参照）。種子をコーティングする理由は様々である。例えば、コーティングによって種子の形状を均一化して播種機による播種を行い易くしたり、あるいは、湛水播栽培する水稲用の種籾に鉄粉のコーティングを施す場合は、その種籾の発芽率を向上させ、鳥害から守り、浮き苗の発生を回避する等のためである。
【０００３】
こうした理由で種籾等の種子にコーティングを施す装置には、回転するドラム容器に大量の種子を投入した後、コーティング剤を供給するものがある。この装置は、ドラム容器を回転させて種子を攪拌しながら、その種子の表面にコーティング剤を付着させている。
【先行技術文献】
【特許文献】
【０００４】
【特許文献１】特開２００１−３３３６０９号公報
【発明の概要】
【発明が解決しようとする課題】
【０００５】
従来の装置において、回転するドラム容器内で種子をコーティングする場合、その種子の形状、湿り具合、量、あるいはコーティング剤の種類によって、ドラム容器内における種子の流れが変わるため、コーティングの精度にバラツキが生じてしまう。
【０００６】
こうしたバラツキをなくすための手段としては、運転中に、ドラム容器の傾斜角度を変えることが有効である。しかし、従来のコーティング装置は、運転前に傾斜角度を変えることは可能であるが、運転中に変えることは困難であった。また、運転前にドラム容器の傾斜角度を適切に調節するには、十分な経験が必要なため、熟練者に限って行うことができた。
【０００７】
また、従来の装置は、水を噴霧するノズルが固定されているため、ドラム容器の傾斜角度を変えると、水が噴霧される方向が相対的に変わってしまう。従って、このことも、コーティングの精度にバラツキが生じてしまうことの一因となっていた。
【０００８】
本発明はこうした問題に鑑み創案されたもので、コーティングの精度にバラツキが生じない種子コーティング装置を提供することを課題とする。
【課題を解決するための手段】
【０００９】
図１乃至図６を参照して説明する。請求項１に記載の種子コーティング装置１は、種子Ｓにコーティングを施すものであり、底壁１１の周端部から周壁１２を立設して形成したドラム容器１０と、前記ドラム容器１０の底壁１１の中心部に固定される回転軸２１を備え、その回転軸２１を介して前記ドラム容器１０を回転させる駆動部２０と、地面に載置され、前記駆動部２０を支持する脚体部３０と、前記駆動部２０に取付けられたアーム４０と、を備える。
【００１０】
また、この装置１は、前記駆動部２０と脚体部３０との間に取付けられ、少なくとも前記駆動部２０または脚体部３０に取付けられる部分に複数または長穴状の取付部５１を有し、前記ドラム容器１０の傾斜角度αを調節するガイド片５０と、前記駆動部２０に接続され、前記ドラム容器１０の回転をオン・オフするメインスイッチ６１および前記ドラム容器１０の回転速度を調整する速度スイッチ６２を備えたコントローラー６０と、を備える。
【００１１】
さらに、噴射筒７１が前記アーム４０に取付けられ、前記ドラム容器１０に水Ｗを供給する水供給部７０を備える。なお、コーティング剤Ｃは、手作業によって、直接、ドラム容器１０に投入される。
【００１２】
請求項２に記載の種子コーティング装置１は、種子Ｓにコーティングを施すものであり、底壁１１の周端部から周壁１２を立設して形成したドラム容器１０と、前記ドラム容器１０の底壁１１の中心部に固定される回転軸２１を備え、その回転軸２１を介して前記ドラム容器１０を回転させる駆動部２０と、地面に載置され、前記駆動部２０を支持する脚体部３０と、前記駆動部２０に取付けられたアーム４０と、を備える。
【００１３】
また、この装置１は、前記駆動部２０と脚体部３０との間に取付けられ、少なくとも前記駆動部２０または脚体部３０に取付けられる部分に複数または長穴状の取付部５１を有し、前記ドラム容器１０の傾斜角度αを調節するガイド片５０と、前記駆動部２０に接続され、前記ドラム容器１０の回転をオン・オフするメインスイッチ６１および前記ドラム容器１０の回転速度を調整する速度スイッチ６２を備えたコントローラー６０と、を備える。
【００１４】
さらに、噴射筒７１が前記アーム４０に取付けられ、前記ドラム容器１０に水Ｗを供給する水供給部７０を備える。コーティング剤Ｃは、手作業によって、直接、ドラム容器１０に投入される。
【００１５】
またさらに、前記アーム４０に、先端部がドラム容器１０の底面角部に達するように取付けられたクレーパ８０を備える
【発明の効果】
【００１６】
請求項１に記載の種子コーティング装置１は、駆動部２０と脚体部３０との間に、少なくとも駆動部２０または脚体部３０に取付けられる部分に複数または長穴状の取付部５１を有するガイド片５０を設けたので、運転中（ドラム容器１０が回転中）においても、ドラム容器１０の傾斜角度αを変えることができる。
【００１７】
すなわち、例えば、複数の取付部５１を有する場合は、当初の取付部５１から他の取付部５１に変えて脚体部３０（または駆動部２０）に取付けることによって、ドラム容器１０の傾斜角度αを変えることができる。これにより、ドラム容器１０内における種子Ｓの流れを変えることができるため、コーティングの精度にバラツキが生じるといった事態を防止することができる。
【００１８】
また、駆動部２０に取付けられたアーム４０に、水供給部７０の噴射筒７１を取付けたので、噴射筒７１を、ドラム容器１０の傾斜角度αを変えた際に、それに追随させることができる。従って、ドラム容器１０内に、水Ｗをそれまでと同一の方向から供給することができるのでコーティングの精度にバラツキが生じない。水Ｗを同一方向（定位置）から噴霧することで、種子を均一に湿らせることができるからである。
【００１９】
すなわち、ドラム容器１０の傾斜角度αを変えることによって、水Ｗの供給方向も同様に変わってしまうと、ドラム容器１０の傾斜角度αを変えて種子Ｓの流れを変えても、種子Ｓに対して同一の方向から水Ｗが供給されることになるので、大きな効果を得ることができない。従って、一部の種子Ｓが極端に湿って、コーティング剤Ｃがダマ（塊）になったり、種子Ｓ同士が付着してしまい、コーティングの精度が低下してしまう結果となる。本発明では、ドラム容器１０の傾斜角度αのみを変えて、水Ｗの供給方向はそれまで通りとするので、ドラム容器１０の傾斜角度αを変えたことによる効果を正確に得ることができる。これにより、ダマの発生や種子Ｓ同士の付着を防止して、コーティングの精度を高めることができる。
【００２０】
請求項２に記載の種子コーティング装置１は、請求項１に記載の発明と同様の効果を発揮する。また、アーム４０に、先端部がドラム容器１０の底面角部に達するクレーパ８０を取付けたので、ドラム容器１０の底面角部に溜まった種子Ｓやコーティング剤Ｃを掻き落とすことができる。これによって、コーティング剤Ｃを無駄にすることなく、より効率的な作業を行うことができる。
【図面の簡単な説明】
【００２１】
【図１】本発明に係る種子コーティング装置の実施形態を示す側面図である。
【図２】図１に示す種子コーティング装置の正面図である。
【図３】図１に示す種子コーティング装置の回転軸およびその周囲を示す一部拡大図である。
【図４】図１に示す種子コーティング装置の取付部およびその周囲を示す一部拡大図である（（ａ）は側面図、（ｂ）は正面断面図）。
【図５】取付部の他の態様を示す拡大図である。
【図６】図１に示す種子コーティング装置のクレーパおよびその周囲を示す一部拡大断面図である。
【発明を実施するための形態】
【００２２】
本発明に係る種子コーティング装置１の実施形態を、図１乃至図４および図６に示す。この装置１は、ドラム容器１０、駆動部２０、脚体部３０、二つのアーム４０、ガイド片５０、コントローラー６０、水供給部７０、およびクレーパ８０を備える。なお、コーティング剤Ｃは、手作業によって、収納容器９０から、直接、ドラム容器１０に投入される。本実施形態における装置１は、湛水直播水稲用の種籾Ｓの表面をコーティングするために使用されるものであるが、他の植物の種子をコーティングするために使用することもできる。
【００２３】
ドラム容器１０は、円板状の底壁１１の全周端部から周壁１２を立設して形成されたものであり、上面が開放されている。
【００２４】
駆動部２０は、箱状である外箱体２２を備え、その外箱体２２の内部に、モーター（減速機を含む）および、それに連結された回転軸２１を有する。また、外箱体２２の内部には、電装品が収納されている。回転軸２１は、その先端部が外箱体２２から突出し、ドラム容器１０の底壁１１外面の中心部に、その底壁１１に対して垂直方向の姿勢で固定されている。この回転軸２１は、モーターによって回転し、ドラム容器１０を回転させる。また、外箱体２２と、ドラム容器１０の底壁１１との間には円筒状の筒体２３が、外箱体２２に一体的に組付けられ、回転軸２１の先端部がこの筒体２３を挿通している。外箱体２２の一方側面には連結部材２４と規制部材２６が設けられている。規制部材２６は、ドラム容器１０が必要以上に回動してしまうと危険であるため、その回動姿勢を規制するために設けられている。
【００２５】
脚体部３０は、地面に載置され、駆動部２０を支持する。この脚体部３０は、地面と平行に配置された基部３１と、その基部３１から略三脚状に立設された三本の脚片３２とを備える。なお、脚片３２の数は三本に限定されず、四本以上とすることもできる。脚体部３０の上端部は、外箱体２２の連結部材２４と、軸棒２５を介して回動自在に連結されている。これにより、駆動部２０およびドラム容器１０は、軸棒２５を中心として回動する。
【００２６】
アーム４０は、駆動部２０に取付けられている。本実施形態におけるアーム４０は、駆動部２０の外箱体２２の側面に固定されている。
【００２７】
ガイド片５０は、駆動部２０と脚体部３０との間に取付けられている。本実施形態のガイド片５０は、その一端部が駆動部２０の外箱体２２に固定され、他端部が脚体部３０の脚片３２に着脱自在に取付けられている。また、ガイド片５０の他端部には、三つの丸穴状の取付部５１（第一取付部５１ａ、第二取付部５１ｂ、第三取付部５１ｃ）が形成されており、その内の一つが、脚片３２に締結部材Ｂ（ボルトＢ１とナットＢ２）によって組付けられる。なお、ボルトＢ１とナットＢ２に代えて、例えば、ピンを使用することもできる。
【００２８】
本実施形態では、脚片３２に貫通孔３３を形成し、取付部５１に通したボルトＢ１をこの貫通孔３３に挿通し、ナットＢ２で螺合することによって、ガイド片５０を脚片３２に組付けている。また、複数の取付部５１のうち、第一取付部５１ａが脚片３２に最も近い位置に形成され、第三取付部５１ｃが脚片３２から最も遠い位置に形成されている。従って、ドラム容器１０の傾斜角度αは、第一取付部５１ａ、第二取付部５１ｂおよび第三取付部５１ｃのいずれを脚片３２に組付けるかによって自在に変えることができる。
【００２９】
なお、本実施形態における取付部５１は、三つの丸穴で構成しているが、本発明はこれに限定されるものではなく、例えば、図５に示すような一つの長穴で構成することもできる。
【００３０】
コントローラー６０は、駆動部２０に電線６３を介して電気的に接続され、ドラム容器１０の回転をオン・オフするメインスイッチ６１と、ドラム容器１０の回転速度を調整する速度スイッチ６２を備えている。
【００３１】
水供給部７０は、噴射筒７１と連通管７３を備える。噴射筒７１は、第二アーム４２の先端部に取付けられる。また、連通管７３は、一端部が噴射筒７１に連結され、他端部が水道の蛇口７２に連結される。そして、水道の水Ｗを、連通管７３と噴射筒７１を介してドラム容器１０の内部の種籾Ｓに供給（噴霧）する。手作業によって、収納容器１０から直接ドラム容器１０に投入されるコーティング剤Ｃは、過酸化カルシウム、鉄粉、焼石膏等から成る粉体で構成される。なお、水道の水Ｗに代えて、他の水（井戸水や貯留水など）をポンプで汲み上げて使用することもできる。
【００３２】
そして、クレーパ８０は、アーム４０に、その先端部がドラム容器１０の底壁１１と周壁１２とで形成される底面角部に達するように取付けられている。
【００３３】
本実施形態に係る種子コーティング装置１は、次のようにして使用することができる。まず、ガイド片５０を脚片３２に一つの取付部５１（例えば、第二取付部５１ｂ）を介して固定した状態で、ドラム容器１０に多量の種籾Ｓを投入する。
【００３４】
次に、コントローラー６０のメインスイッチ６１をオン状態としてドラム容器１０を回転させる。続いて、水供給部７０によって、その噴射筒７１から水Ｗを噴霧し、種籾Ｓの表面を湿らせると共に、コーティング剤Ｃを少量ずつ投入する。この際、種子Ｓの表面の湿り具合によって水Ｗの噴霧量を適宜調整する。
【００３５】
そして、種籾Ｓの形状、湿り具合、量、あるいはコーティング剤Ｃの種類によって、種子Ｓとコーティング剤Ｃが均一に攪拌されていない場合は、コントローラー６０の速度スイッチ６２を切り替えてドラム容器１０の回転数を変え、種籾Ｓの流れを変える。これによって、均一に攪拌することができるので、コーティングの精度を高めることができる。なお、この作業は、ドラム容器１０を回転させながら行うことができるので、攪拌の状態を視認することができる。従って、コーティングの精度のバラツキを防止することができる。
【００３６】
また、それと共に、あるいはそれとは別個に、ガイド片５０を脚片３２に他の取付部５１（例えば、第二取付部５１ｂ）を介して組付け変える。これにより、ドラム容器１０の傾斜角度αを変えて種籾Ｓの流れを変え、コーティングの精度のバラツキを防止することができる。
【００３７】
なお、この作業は、締結部材Ｂを外した後、回転していない部分である駆動部２０やガイド片５０を持って行うことができるので、ドラム容器１０を回転させながら（コーティングされている種籾Ｓの状態を視認しながら）実行することができる。
【００３８】
この際、噴射ノズルおよび噴出筒は、駆動部２０（筒体２３）に取付けられているのでドラム容器１０に追随して傾動する。従って、ドラム容器１０に対してそれまでと同じ方向（位置）に水Ｗを供給（噴霧）することができる。従って、コーティングの精度のバラツキを、より未然に防止することができる。
【００３９】
また、種籾Ｓやコーティング剤Ｃは、ドラム容器１０の底面角部に溜まり易いが、この装置１は、先端部がその底面角部に達するクレーパ８０を設けているので、そうした状況の発生を防止することができる。これにより、効率良く作業することができる。
【００４０】
なお、上記実施形態においては、アーム４０を一つとし、そのアームに噴射筒７１を取付けているが、本発明はこれに限定されるものではなく、アーム４０を二つとし、一方に噴射筒７１を取付け、他方にクレーパ８０を取付けることもできる。
【符号の説明】
【００４１】
１        種子コーティング装置
１０      ドラム容器
１１      底壁
１２      周壁
２０      駆動部
２１      回転軸
２２      外箱体
２３      筒体
２４      連結部材
２５      軸棒
２６      規制部材
３０      脚体部
３１      基部
３２      脚片
３３      貫通孔
４０      アーム
５０      ガイド片
５１      取付部
５１ａ    第一取付部
５１ｂ    第二取付部
５１ｃ    第三取付部
６０      コントローラー
６１      メインスイッチ
６２      速度スイッチ
６３      電線
７０      水供給部
７１      噴射筒
７２      水道（蛇口）
７３      連通管
８０      クレーパ
９０      収納容器
Ｂ        締結部材
Ｂ１      ボルト
Ｂ２      ナット
Ｃ        コーティング剤
Ｓ        種子（種籾）
Ｗ        水
α        傾斜角度
【図１】
2012217409.tif 000003
【図２】
2012217409.tif 000004
【図３】
2012217409.tif 000005
【図４】
2012217409.tif 000006
【図５】
2012217409.tif 000007
【図６】
2012217409.tif 000008